(57)【要約】【課題】弾性ロープを取り付ける弾性椅子に設置すると共に、振動するようにマッサージ効果を得ることができる弾性椅子専用のマッサージ器具を提供する。【解決手段】ケース（１０）と、マッサージプレート（２０）と、振動部材（３０）とを備える弾性椅子専用のマッサージ器具（１）であって、ケース（１０）は第一ケース（１１）と第二ケース（１２）をねじなどの固定部材（１３）によって組合わせて中空状のケースであり、マッサージプレート（２０）は前記の固定部材（１３）によって第二ケース（１２）に設置するものであり、弾性椅子（４０）における弾性ロープ（４１）を設置するために、第二ケース（１２）とマッサージプレート（２０）の相対面に夫々取り付け溝（１２３）（２４）が形成され、振動部材（３０）はモータ（３１）の芯軸に偏芯ブロック（３２）が設けられると共に、ケース（１０）の内部に設置されることを特徴とする【選択図】        図１
2004201893.tif 000002
【特許請求の範囲】
【請求項１】
ケース（１０）と、マッサージプレート（２０）と、振動部材（３０）とを備える弾性椅子専用のマッサージ器具（１）であって、
ケース（１０）は第一ケース（１１）と第二ケース（１２）をねじなどの固定部材（１３）によって組合わせた中空状のケースであり、
マッサージプレート（２０）は前記固定部材（１３）によって第二ケース（１２）に設置するものであり、弾性椅子（４０）における弾性ロープ（４１）を設置するために第二ケース（１２）とマッサージプレート（２０）の相対面に夫々取り付け溝（１２３）（２４）が形成され、
振動部材（３０）はモータ（３１）の芯軸に偏芯ブロック（３２）が設けられると共に、ケース（１０）の内部に設置されることを特徴とする弾性椅子専用のマッサージ器具。
【請求項２】
マッサージプレート（２０）の外側に顆粒状又はリブ状のマッサージブロック（２１）が設けられ、
第二ケース（１２）とマッサージプレート（２０）における取り付け溝（１２３）（２４）の開口縁に嵌合できる嵌合部（１２４）（２５）が形成されることを特徴とする請求項１に記載の弾性椅子専用のマッサージ器具。
【請求項３】
マッサージプレート（２０）にケース（１０）へ向かって延伸したねじ孔（２３）を有する係合凸部（２２）が設けられ、
第二ケース（１２）に係合凸部（２２）と対する組合孔（１２１）が形成されると共に、第一ケース（１１）に係合凸部（２２）におけるねじ孔（２３）と対する組合孔（１１１）が形成されることにより、固定部材（１３）でマッサージプレート（２０）とケース（１０）とを組合わせ、
ケース（１０）は振動部材（３０）のモータ（３１）を固定するために、第一ケース（１１）と第二ケース（１２）の内部に夫々支持プレート（１１２）（１２２）が設けられることを特徴とする請求項１又は請求項２に記載の弾性椅子専用のマッサージ器具。
【発明の詳細な説明】
【０００１】
【発明の属する技術分野】
本発明は、特に弾性ロープを取り付ける弾性椅子に設置すると共に、振動するようにマッサージ効果を得ることができる弾性椅子専用のマッサージ器具に関するものである。
【０００２】
【従来の技術】
椅子は日常生活によく使用されている家具であり、この膨大な売上げに対して業者は多様化の椅子を設計しており、この多様化の椅子の中に、簡単な椅子フレームに複数の弾性ロープを設置することによってシートと背もたれとする椅子があり、これらの弾性力を有する弾性ロープにより座りの快適性を提供すると共に、蒸暑くない優れた通風効果を提供している。
【０００３】
又、現在はマッサージ効果を提供する椅子があり、背もたれに電動式振動装置を設置することにより、座りの際、背中にマッサージを行い、これにより、疲労を解消して血液循環の促進効果を提供する。
【０００４】
【本発明が解決しようとする課題】
しかしながら、マッサージ効果を有する椅子のマッサージ部材は皮又は布からなるカバーの内部に設けるものであるので、カバーのない弾性椅子に設置することができず、更に、長時間、マッサージ効果を有する椅子を使用すれば、カバーと接触している使用者の背中、尻、腿などの部位が通風のない蒸暑い違和感を有し、又、マッサージ部材を椅子のカバーの内部に設置するため、自由に設置箇所の変更できず、故障したら、簡単に故障部材の更新できないので、非常に不便である。
【０００５】
そこで、出願されたのが本発明であって、弾性ロープを取り付ける弾性椅子に設置すると共に、振動するようにマッサージ効果を得ることができる弾性椅子専用のマッサージ器具を提供することを目的としている。
【０００６】
【課題を解決するための手段】
本願の請求項１の発明は、ケース（１０）と、マッサージプレート（２０）と、振動部材（３０）とを備える弾性椅子専用のマッサージ器具（１）であって、ケース（１０）は第一ケース（１１）と第二ケース（１２）をねじなどの固定部材（１３）によって組合わせた中空状のケースであり、マッサージプレート（２０）は前記の固定部材（１３）によって第二ケース（１２）に設置するものであり、弾性椅子（４０）における弾性ロープ（４１）を設置するために、第二ケース（１２）とマッサージプレート（２０）の相対面に夫々取り付け溝（１２３）（２４）が形成され、振動部材（３０）はモータ（３１）の芯軸に偏芯ブロック（３２）が設けられると共に、ケース（１０）の内部に設置されることを特徴とする弾性椅子専用のマッサージ器具及び、
本願の請求項２の発明は、マッサージプレート（２０）の外側に顆粒状又はリブ状のマッサージブロック（２１）が設けられ、第二ケース（１２）とマッサージプレート（２０）における取り付け溝（１２３）（２４）の開口縁に嵌合できる嵌合部（１２４）（２５）が形成されることを特徴とする請求項１に記載の弾性椅子専用のマッサージ器具及び、
本願の請求項３の発明は、マッサージプレート（２０）にケース（１０）へ向かって延伸してねじ孔（２３）を有する係合凸部（２２）が設けられ、第二ケース（１２）に係合凸部（２２）と対する組合孔（１２１）が形成されると共に、第一ケース（１１）に係合凸部（２２）におけるねじ孔（２３）と対する組合孔（１１１）が形成されることにより、固定部材（１３）でマッサージプレート（２０）とケース（１０）とを組合わせ、ケース（１０）は振動部材（３０）のモータ（３１）を固定するのために、第一ケース（１１）と第二ケース（１２）の内部に夫々支持プレート（１１２）（１２２）が設けられることを特徴とする請求項１又は請求項２に記載の弾性椅子専用のマッサージ器具、を提供する。
【０００７】
本発明は上記の課題を解決するものであり、取り付け溝によってマッサージ器具を弾性椅子における弾性ロープに設置できると共に、固定部材によってケースが弾性ロープの位置を自由に調整することができる。
【０００８】
【発明の実施の形態】
以下、添付図面を参照して本発明の好適な実施の形態を詳細に説明する。
【０００９】
図１は本発明に係わる弾性椅子専用のマッサージ器具の分解斜視図であり、図２は本発明に係わる弾性椅子専用のマッサージ器具の使用状態を示す平面図であり、図３は本発明に係わる弾性椅子専用のマッサージ器具の断面図である。
【００１０】
図１及び図３に示すように、本発明のマッサージ器具（１）はケース（１０）と、マッサージプレート（２０）と、振動部材（３０）とを備え、ケース（１０）は第一ケース（１１）と第二ケース（１２）をねじなどの固定部材（１３）によって組合わせた中空状のケースであり、マッサージプレート（２０）は前記の固定部材（１３）によって第二ケース（１２）に設置するものであり、弾性椅子（４０）における弾性ロープ（４１）を設置するために、第二ケース（１２）とマッサージプレート（２０）の相対面に夫々取り付け溝（１２３）（２４）が形成されることにより、マッサージ器具（１）が弾性椅子に（４０）設置される。
【００１１】
振動部材（３０）はモータ（３１）の芯軸に偏芯ブロック（３２）が設けられると共に、ケース（１０）の内部に設置されるものであり、モータ（３１）によって偏芯ブロック（３２）を駆動させると共に、ケース（１０）を振動させる。又、ケース（１０）は振動部材（３０）のモータ（３１）を固定するのために、第一ケース（１１）と第二ケース（１２）の内部に夫々支持プレート（１１２）（１２２）が設けられる。
【００１２】
前記マッサージプレート（２０）にケース（１０）へ向かって延伸したねじ孔（２３）を有する係合凸部（２２）が設けられ、第二ケース（１２）に係合凸部（２２）と対する組合孔（１２１）が形成されると共に、第一ケース（１１）に係合凸部（２２）におけるねじ孔（２３）と対する組合孔（１１１）が形成されることにより、固定部材（１３）でマッサージプレート（２０）とケース（１０）とを組合わせることができる。
【００１３】
マッサージプレート（２０）の外側に顆粒状又はリブ状のマッサージブロック（２１）が設けられる。前記の第二ケース（１２）とマッサージプレート（２０）における取り付け溝（１２３）（２４）の開口縁に嵌合できる嵌合部（１２４）（２５）が形成されることにより、弾性ロープ（４１）の固定効果を向上する。
【００１４】
本発明を使用する際、弾性椅子（４０）における弾性ロープ（４１）に設置して使用されている。図２及び図３に示すように、弾性ロープ（４１）が取り付け溝（２４）（１２３）に固定されると共に、電力を振動部材（３０）に提供することにより、マッサージ効果を提供する。
【００１５】
【発明の効果】
本発明は以上説明したようになるから、次のような効果を得ることができる。
本発明のマッサージ器具は取り付け溝によって弾性椅子における弾性ロープに設置できると共に、固定部材によってケースが弾性ロープに自由に調整することができ、優れた通風効果を有する弾性椅子にもマッサージ器具を設置できる。
【図面の簡単な説明】
【図１】本発明に係わる弾性椅子専用のマッサージ器具の分解斜視図である。
【図２】本発明に係わる弾性椅子専用のマッサージ器具の使用状態を示す平面図である。
【図３】本発明に係わる弾性椅子専用のマッサージ器具の断面図である。
【符号の説明】
１          マッサージ器具
１０        ケース
１１        第一ケース
１１１      組合孔
１１２      支持プレート
１２        第二ケース
１２１      組合孔
１２２      支持プレート
１２３      取り付け溝
１２４      嵌合部
１３        固定部材
２０        マッサージプレート
２１        マッサージブロック
２２        係合凸部
２３        ねじ孔
２４        取り付け溝
２５        嵌合部
３０        振動部材
３１        モータ
３２        偏芯ブロック
４０        弾性椅子
４１        弾性ロープ
【図１】
2004201893.tif 000003
【図２】
2004201893.tif 000004
【図３】
2004201893.tif 000005